(57)【要約】【課題】従来の表示装置において、タッチパネルに表示されるアイコンのアイコンサイズは、必ずしも全てのユーザにとって使い易いものではなかった。【解決手段】この表示装置は、タッチパネル１０１に表示されたアイコンにユーザが触れることによって操作される表示装置であって、相異なる複数のアイコンサイズを記憶する記憶部１０４と、タッチパネル１０１のユーザに触れられた領域を検出する静電容量分布検出部１０２と、静電容量分布検出部１０２によって検出された上記領域の情報と、記憶部１０４に記憶されたアイコンサイズの情報とを比較することにより、タッチパネル１０１に表示されるアイコンのアイコンサイズを、記憶部１０４に記憶された複数のアイコンサイズの中から選択する制御部１０３と、を備えている。【選択図】図１
2008217704.tif 000002
【特許請求の範囲】
【請求項１】
タッチパネルに表示されたアイコンにユーザが触れることによって操作される表示装置であって、
相異なる複数のアイコンサイズを記憶する記憶部と、
前記タッチパネルの、前記ユーザに触れられた領域を検出する検出部と、
前記検出部によって検出された前記領域の情報と、前記記憶部に記憶された前記アイコンサイズの情報とを比較することにより、前記タッチパネルに表示される前記アイコンのアイコンサイズを、前記記憶部に記憶された前記複数の前記アイコンサイズの中から選択する選択部と、
を備えることを特徴とする表示装置。
【請求項２】
請求項１に記載の表示装置において、
前記検出部は、前記ユーザに触れられた前記領域を包含し得る最小面積の矩形に関する情報を、前記領域の情報として生成する表示装置。
【請求項３】
請求項２に記載の表示装置において、
前記選択部は、前記矩形の面積に最も近い面積を有するアイコンサイズを、前記記憶部に記憶された前記複数の前記アイコンサイズの中から選択する表示装置。
【請求項４】
請求項２に記載の表示装置において、
前記選択部は、前記矩形の長辺に最も近い長辺を有するアイコンサイズを、前記記憶部に記憶された前記複数の前記アイコンサイズの中から選択する表示装置。
【請求項５】
請求項１乃至４いずれかに記載の表示装置において、
前記記憶部は、前記タッチパネルに表示される画面のレイアウトについて、前記複数の前記アイコンサイズに対応する複数のパターンを記憶する表示装置。
【請求項６】
請求項１乃至５いずれかに記載の表示装置において、
前記タッチパネルは、静電検出式のタッチパネルである表示装置。
【請求項７】
請求項１乃至６いずれかに記載の表示装置を備えることを特徴とする携帯情報機器。
【発明の詳細な説明】
【技術分野】
【０００１】
本発明は、タッチパネルを有する表示装置、およびそれを備える携帯情報機器に関する。
【背景技術】
【０００２】
ＰＤＡや携帯電話等の従来の携帯情報機器の中には、タッチパネルを有する表示装置が設けられたものがある。このような携帯情報機器では、ユーザがタッチパネルに表示された各種アイコンに触れることで、所定の機能が実行されるようになっている。
【０００３】
なお、本発明に関連する先行技術文献としては、特許文献１，２が挙げられる。
【特許文献１】特開２００３−３４５５１１号公報
【特許文献２】特開２００６−２６８３１３号公報
【発明の開示】
【発明が解決しようとする課題】
【０００４】
ところで、タッチパネルを有する表示装置は様々なユーザが使用するが、指先の大きさやタッチの仕方は千差万別である。細かい操作が得意な人もいれば、そうで無い人もいる。しかしながら、従来の表示装置においては、アイコンの表示サイズが設計上決まっており、ユーザの特性に合わせて変更することができなかった。それゆえ、アイコンサイズは、必ずしも全てのユーザにとって使い易いものではなかった。
【課題を解決するための手段】
【０００５】
本発明による表示装置は、タッチパネルに表示されたアイコンにユーザが触れることによって操作される表示装置であって、相異なる複数のアイコンサイズを記憶する記憶部と、上記タッチパネルの、上記ユーザに触れられた領域を検出する検出部と、上記検出部によって検出された上記領域の情報と、上記記憶部に記憶された上記アイコンサイズの情報とを比較することにより、上記タッチパネルに表示される上記アイコンのアイコンサイズを、上記記憶部に記憶された上記複数の上記アイコンサイズの中から選択する選択部と、を備えることを特徴とする。
【０００６】
この表示装置においては、ユーザがタッチパネルに触れた領域が検出される。そして、その領域の情報と、記憶部に記憶されたアイコンサイズの情報とが比較される。その結果、複数の所定のアイコンサイズの中から、タッチパネルに表示されるアイコンのアイコンサイズが選択される。これにより、ユーザの特性に応じたアイコンサイズのアイコンをタッチパネルに表示させることができる。
【発明の効果】
【０００７】
本発明によれば、ユーザの特性に応じたアイコンサイズのアイコンをタッチパネルに表示させることが可能な表示装置、およびそれを備える携帯情報機器が実現される。
【発明を実施するための最良の形態】
【０００８】
以下、図面を参照しつつ、本発明の好適な実施形態について詳細に説明する。なお、図面の説明においては、同一要素には同一符号を付し、重複する説明を省略する。
【０００９】
図１は、本発明による表示装置の一実施形態を示すブロック図である。この表示装置は、タッチパネル１０１に表示されたアイコンにユーザが触れることによって操作される表示装置であって、相異なる複数のアイコンサイズを記憶する記憶部１０４と、タッチパネル１０１のユーザに触れられた領域を検出する静電容量分布検出部１０２（検出部）と、静電容量分布検出部１０２によって検出された上記領域の情報と、記憶部１０４に記憶されたアイコンサイズの情報とを比較することにより、タッチパネル１０１に表示されるアイコンのアイコンサイズを、記憶部１０４に記憶された複数のアイコンサイズの中から選択する制御部１０３（選択部）と、を備えている。また、本実施形態に係る携帯情報機器は、この表示装置を備えている。
【００１０】
図２に、タッチパネル１０１の一例を示す平面図である。 タッチパネル１０１は、静電検出式のタッチパネルであり、中央部分に情報表示および接触検出を行う表示／センサ領域１０６を有する。また、タッチパネル１０１の周辺部には、表示／センサ領域１０６を機能させるための電極や配線が形成された配線領域１０７が設けられている。表示／センサ領域１０６は、左下を座標の原点とし、所定数のＸ座標およびＹ座標で構成される。このタッチパネル１０１により、ユーザが触れた領域の座標が出力される。
【００１１】
図１に戻って、静電容量分布検出部１０２は、タッチパネル１０１にユーザが触れた領域を検出する。制御部１０３は、機器を制御するＣＰＵである。記憶部１０４は、機器の制御プログラムやアイコン画像、画面レイアウト等の情報を格納する。表示制御部１０５は、タッチパネル１０１のドライバである。
【００１２】
図３は、アイコンの基準サイズの例を示している。また、図４は、図３中の各アイコンに対応する画面レイアウトの例を示す。記憶部１０４には、図３のような、相異なる複数のアイコンサイズに関する情報が格納されている。同図には、大・中・小の３種類のアイコンサイズが示されている。本例においては、アイコン形状が矩形であるため、当該矩形のＸ方向の辺の長さとＹ方向の辺の長さとが上記アイコンサイズに関する情報として記憶部１０４に格納されている。
【００１３】
さらに、記憶部１０４には、図４のように、各アイコンサイズに対応する画面レイアウトが格納されている。 すなわち、記憶部１０４は、タッチパネル１０１に表示される画面のレイアウトについて、複数のアイコンサイズに対応する複数のパターンを記憶している。
【００１４】
アイコンサイズ（大）の場合、例えば、画面中央に４つの大きなアイコンが表示される。その上下には、画面を上下にスクロールさせるためのスクロールボタンが設けられている。図４においてはＡ，Ｂ，Ｃ，Ｄのアイコンが画面に表示されているが、下方向のスクロールボタンを押下すると、画面にはＣ，Ｄ，Ｅ，Ｆのアイコンが表示される。その状態で上方向のスクロールボタンを押下すると、再びＡ，Ｂ，Ｃ，Ｄのアイコンが表示されることになる。
【００１５】
アイコンサイズ（中）の場合、例えば、画面にはＡ〜Ｉまでの９つのアイコンが表示される。また、アイコンサイズが（大）の場合よりも小さくなるため、アイコンに対応する機能の補足説明を行うアイコン説明領域を設けるようにしてもよい。アイコンサイズ（小）の場合、例えば、画面にはＡ〜Ｐまでの１６個のアイコンが表示される。この場合、アイコンサイズが（中）よりも更に小さくなるため、（中）と同様、アイコン説明領域があることが好ましい。
【００１６】
図５のフローチャートを参照しつつ、図１に示した表示装置の動作の一例を説明する。まず、所定の操作によって、記憶部１０４に格納された、アイコンのサイズ調整を行う機能（プログラム）を呼び出す。以下は、当該アイコンサイズ調整機能の処理である。ユーザがタッチパネル１０１の所定位置に触れると、タッチパネル１０１を構成するセンサは、センサと人体の指とで構成されるコンデンサが、センサ表面のどの位置に存在するかを微弱な静電容量の変化として検出する。この位置を静電容量の分布座標として、静電容量分布検出部１０２に出力する（ステップＳ１０１）。
【００１７】
静電容量分布検出部１０２は、例えば図６に示すように、検出した分布のうち最も外側の座標を基準とする矩形を規定し、その対角の２つの座標を当該矩形に関する情報（矩形情報）として制御部に出力する（ステップＳ１０２）。すなわち、静電容量分布検出部１０２は、ユーザに触れられた領域を包含し得る最小面積の矩形に関する情報を、当該領域の情報として生成する。
【００１８】
次に、制御部１０３は、矩形情報と、記憶部１０４に保存されているアイコンサイズとを比較する（ステップＳ１０３）。本実施形態の場合、対角座標から矩形の面積を算出し、各アイコンサイズの面積と比較する。続いて、制御部１０３は、上記矩形の面積に最も近い面積を有するアイコンサイズを、記憶部１０４に記憶された複数のアイコンサイズの中から選択する（ステップＳ１０４）。そして、制御部１０３は、選択されたアイコンサイズに対応する画面レイアウトのパターンを記憶部１０４から読み出して、タッチパネル１０１に表示を行うように設定する（ステップＳ１０５）。以上で、アイコンサイズ調整機能の処理は終了である。
【００１９】
本実施形態の効果を説明する。本実施形態においては、ユーザがタッチパネル１０１に触れた領域が検出される。そして、その領域の情報と、記憶部１０４に記憶されたアイコンサイズの情報とが比較される。その結果、複数の所定のアイコンサイズの中から、タッチパネル１０１に表示されるアイコンのアイコンサイズが選択される。これにより、ユーザの特性に応じたアイコンサイズのアイコンをタッチパネル１０１に表示させることができる。
【００２０】
このように、本実施形態によれば、タッチパネル１０１にユーザのタッチするクセ（タッチのされ方）に応じてアイコンのサイズを変更することができる。このため、例えば、指の大きい人には大きいアイコン表示を、指先が器用で細かい指定ができる人には小さいアイコン表示を適用できる。よって、多くのユーザにとって、アイコンの操作性と多数表示性とのバランスが良好に取れた表示装置を提供することができる。
【００２１】
さらに、タッチパネル１０１に表示されるアイコンのアイコンサイズは、記憶部１０４に予め記憶された所定のアイコンサイズの中から選択される。このため、アイコン表示の際にアイコンサイズを新たに生成する場合に比して、制御部１０３の動作が簡素化される。また、アイコンサイズ毎に適した画面レイアウト（図４参照）を、当該アイコンサイズに関連付けて記憶部１０４に予め記憶させておくことが可能となる。これにより、画面レイアウトの決定に要する制御部１０３の動作も簡素化される。
【００２２】
本発明は、上記実施形態に限定されるものではなく、様々な変形が可能である。例えば、上記実施形態においては、制御部１０３が、静電容量分布検出部１０２により規定された矩形の面積に最も近い面積を有するアイコンサイズを選択する例を示した。しかし、制御部１０３は、上記矩形の長辺に最も近い長辺を有するアイコンサイズを選択してもよい。すなわち、ユーザに触れられた領域が横に長い形状である場合には横方向のサイズを、縦に長い形状である場合には縦方向のサイズを基準として、アイコンサイズの選択を行ってもよい。なお、上記矩形が正方形である場合、長辺の長さは、当該正方形の１辺の長さとして定義される。
【図面の簡単な説明】
【００２３】
【図１】本発明による表示装置の一実施形態を示すブロック図である。
【図２】タッチパネルの一例を示す平面図である。
【図３】アイコンの基準サイズの例を示す図である。
【図４】図３中の各アイコンに対応する画面レイアウトの例を示す図である。
【図５】図１の表示装置の動作の一例を説明するためのフローチャートである。
【図６】図１の表示装置の動作の一例を説明するための図である。
【符号の説明】
【００２４】
１０１    タッチパネル
１０２    静電容量分布検出部
１０３    制御部
１０４    記憶部
１０５    表示制御部
１０６    表示／センサ領域
１０７    配線領域
【図１】
2008217704.tif 000003
【図２】
2008217704.tif 000004
【図３】
2008217704.tif 000005
【図４】
2008217704.tif 000006
【図５】
2008217704.tif 000007
【図６】
2008217704.tif 000008